(57)【特許請求の範囲】
【請求項１】
複数の分岐ブレーカと，
該複数の分岐ブレーカ同士を接続する導電部材と，
それらを取り付けた取付板と，
該取付板を固定する外郭ケースとアース中継端子装置とを備えた住宅用分電盤であって，
アース中継端子装置を，アース中継端子板と，複数のねじ無し端子を電気的に接続し集合させ外部に露出しないよう樹脂ケースで保持させたねじ無し端子ユニットと，前記アース中継端子板とねじ無し端子ユニットとを電気的に接続する電線から構成し，
アース中継端子板には，前記外郭ケース内部の任意の位置に固定する取付部と，大地側へ接続されるアース線を接続する手段と，前記ねじ無し端子ユニットと接続する電線を接続する手段とを備え，
前記ねじ無し端子ユニットには，前記複数のブレーカに接続されるケーブルのうちアース線を接続する複数のねじ無し端子と，前記アース中継端子板と接続する電線を接続する手段とを備えて，
アース中継端子板を，前記取付部により住宅用分電盤の外郭ケースに取付固定する一方，
前記ねじ無し端子ユニットは，前記アース中継端子板と前記電線により互いに接続されて外郭ケース内部の前記取付板裏に前記外郭ケースに取付固定されずに配置されるとともに，前記アース中継端子板とねじ無し端子ユニットとを接続する電線及び前記ねじ無し端子ユニットに接続する前記アース線により，ねじ無し端子ユニット本体が支持されて，該ねじ無し端子ユニットの位置が前記アース線の長さに合わせて適宜移動可能に保持されるよう設けられたことを特徴とするアース中継端子付住宅用分電盤。
【発明の詳細な説明】
【０００１】
【産業上の利用分野】
本件の発明は住宅用分電盤に係り，特にアース中継端子を備える住宅用分電盤に係る。
【０００２】
【従来の技術】
従来のアース中継端子を備えた住宅用分電盤は，アース中継端子を住宅用分電盤のケース内部の任意の位置に，メーカーが取付固定して出荷し，工事人が，アース線をねじにより，該中継端子板に接続していた。
【０００３】
【発明が解決しようとする課題】
従来，前記アース線は，大地側アースと，特殊な分岐回路のアース線，および集合住宅の場合，大地側アースを各住戸ごとの住宅用分電盤同志で接続するための渡りアース線などに限られており，接続本数は少なくて済んでいた。
【０００４】
しかしながら近年，コンセントに接地極付きのものを使用する工事が増えており，分岐ブレーカ１回路ごとに１本のアース線を接続する場合が増えている。近年の住宅の場合，前記分岐ブレーカは１０〜２０程度設けられることが多々あり，アース線の数も相応の本数に増えている。
【０００５】
その際，アース線は，分岐ブレーカに接続される電圧線２本とアース線１本を同一ケーブル内に収納した３芯のケーブルが使用されることとなる。従って，従来の住宅用分電盤にそれらのアース線を接続しようとした場合，次の二つの問題が生じていた。
【０００６】
まず第一には，アース線の本数が多いため，ねじによる接続では，アース線用端子ねじの本数が多くなり，接続工事の手間がかかるという問題である。次に，各分岐ブレーカに接続されるケーブルは３芯であり，２本は分岐ブレーカに，１本はアース中継端子に接続することが必要となるが，アース中継端子は，住宅用分電盤内の１カ所にしかないために，各分岐ブレーカからアース中継端子までの位置は分岐ブレーカごとに異なることになり，同一ケーブル内でも，分岐ブレーカに接続される２本の電圧電線と，１本のアース線の長さは大幅に変えなければならない場合が生じ電線の皮むき切断の作業性が悪い。すなわち一旦アース線の必要長さにシースを皮むき後，２本の電圧電線の長さを短く切断するという２重の手間が必要になる。また，分岐ブレーカごとのケーブルのシース皮むき長さも，必要なアース線の長さが分岐ブレーカごと異なるため変えなければならず，作業性が悪い。
【０００７】
【本件発明の目的】
以上の従来技術の問題点に鑑み，本件発明は，分岐ブレーカ回路のアース線の本数が多くても，接続作業性の良い，アース中継端子を備えた住宅用分電盤を提供することにある。
【０００８】
【課題を解決しようとするための手段】
上述の目的を達成するため本件の請求項１の発明では，
複数の分岐ブレーカと，該複数の分岐ブレーカ同士を接続する導電部材と，それらを取り付けた取付板と，該取付板を固定する外郭ケースとアース中継端子装置とを備えた住宅用分電盤であって，アース中継端子装置を，アース中継端子板と，複数のねじ無し端子を電気的に接続し集合させ外部に露出しないよう樹脂ケースで保持させたねじ無し端子ユニットと，前記アース中継端子板とねじ無し端子ユニットとを電気的に接続する電線から構成し，アース中継端子板には，前記外郭ケース内部の任意の位置に固定する取付部と，大地側へ接続されるアース線を接続する手段と，前記ねじ無し端子ユニットと接続する電線を接続する手段とを備え，前記ねじ無し端子ユニットには，前記複数のブレーカに接続されるケーブルのうちアース線を接続する複数のねじ無し端子と，前記アース中継端子板と接続する電線を接続する手段とを備えて，アース中継端子板を，前記取付部により住宅用分電盤の外郭ケースに取付固定する一方，前記ねじ無し端子ユニットは，前記アース中継端子板と前記電線により互いに接続されて外郭ケース内部の前記取付板裏に前記外郭ケースに取付固定されずに配置されるとともに，前記アース中継端子板とねじ無し端子ユニットとを接続する電線及び前記ねじ無し端子ユニットに接続する前記アース線により，ねじ無し端子ユニット本体が支持されて，該ねじ無し端子ユニットの位置が前記アース線の長さに合わせて適宜移動可能に保持されるよう設けられたアース中継端子付住宅用分電盤を提供したものである。
【０００９】
削除
【００１０】
【作用】
請求項１の発明によれば，大地側のアース線と住宅用分電盤間の渡りアース線は，住宅用分電盤の外郭ケース内に固定されたアース中継端子板に接続し，分岐回路のアース線は，ねじ無し端子ユニットの個々のねじ無し端子に差し込むだけで接続でき，分岐ブレーカ回路側のアース線が多くなっても作業性が良い。また，ねじ無し端子ユニットは，アース中継端子板と電線で接続されているので，電線を屈曲させることで，住宅用分電盤内の任意の位置に移動させることができ，各分岐ブレーカの配置と各分岐ブレーカに接続されるケーブルのアース線の長さに合わせて一番都合のよい位置に配置できるので，電線の皮むきや接続の作業性を大幅に改善できる。
【００１１】
また，アース中継端子板に対して，複数のねじ無し端子ユニットを電線で接続すれば，分岐ブレーカの回路数が多くなっても，例えば分岐ブレーカ数台ごとのブロックに分けて，複数のねじ無し端子ユニットをそれぞれ一番適当な位置に配置できるので，さらに，アース線の接続作業性がよくなる。
【００１２】
【実施例の説明】
以下に本件発明を図面を用いて詳細に説明する。
【００１３】
図１は，本件発明の第一の実施例によるアース中継端子付住宅用分電盤の図である。図において，１は複数のブレーカ，２は導電部材，３は外郭ケースで，住宅用分電盤を構成する。２の導電部材は，主幹ブレーカ４から複数の分岐ブレーカ１に接続される分配配線で，前記主幹ブレーカ４，導電部材２，複数の分岐ブレーカ１は取付板５上に取り付けられて外郭ケース３内に収納されている。
【００１４】
図１の住宅用分電盤において，６はアース中継端子装置で，アース中継端子装置は，図２のように，アース中継端子板６０１，複数のねじ無し端子６０２を互いに電気的に接続させたねじ無し端子ユニット６０３と，アース中継端子板６０１とねじ無し端子ユニット６０３を電気的に接続する電線６０４からなり，図１のように，外郭ケース３内の任意の位置にアース中継端子板６０１を固定し，ねじ無し端子ユニット６０３は，電線６０４を屈曲させることで，外郭ケース３内の任意の位置に移動できるようになっている。図３は，ねじ無し端子ユニット６０３の断面図で，共通の電気的接続板６０５に対し，複数のねじ無し端子片６０６が，樹脂ケース６０７により保持されており，電気的接続板６０５と各ねじ無し端子片６０６が対となって，各ねじ無し端子６０２を構成する。複数のねじ無し端子６０２の一つには電線６０４が接続されて電線６０４の反対側はアース中継端子板６０１に接続される。
【００１５】
図１の住宅用分電盤の取付工事は次のように行われる。まず，電線貫通穴から住宅用分電盤への引き込みケーブル９を引き出した壁面７にアース中継端子装置６を備えた外郭ケース３を取付け，次にアース中継端子板６０１に大地へ接続されるアース線８を接続する。さらに各分岐ブレーカに接続するケーブル９の内，各分岐ブレーカ回路ごとのアース線９０１をねじ無し端子ユニット６０３のねじ無し端子６０２にそれぞれ接続する。ここまで工事をおこなった状態を，図４に示す。
【００１６】
このとき，ねじ無し端子ユニット６０３は，電線６０４を屈曲させることで，外郭ケース３内の任意の位置へ移動可能となっているため，引き込み電線の引き回しや，電線の皮むき長さ，作業のし易さなどにより自由に移動できて都合がよい。また，アース線９０１の接続は，接続端子がねじ無し端子６０２となっているため，接続作業が短時間で終了する。
【００１７】
その後で，主幹ブレーカ４，複数の分岐ブレーカ１，導電部材２を取り付けた取付板５を外郭ケース３に固定して，各電圧電線９０２を所定のブレーカに接続後，外郭ケース３の蓋を取付け，工事を完了する。
【００１８】
図５は，他の例の図である。第一の実施例と異なるところは，アース中継端子板６０１に対し，ねじ無し端子ユニット６０３’と６０３”が複数接続されていることで，そのため，図５のように，図の上側の分岐ブレーカ１’に接続されるケーブル９’と，図の下側の分岐ブレーカ１”に接続されるケーブル９”に分けて，ねじ無し端子ユニット６０３’と６０３”を最適の位置に配置できる。したがって，第一の実施例に比べ，ねじ無し端子ユニットを，分岐ブレーカの配置によってさらに都合のよい位置に配置でき，引き込み電線の引き回しがし易い，引き込み電線の分岐ブレーカ側に接続する線とねじ無し端子ユニットに接続する線の長さをほぼ同一にできるなどの効果がある。
【００１９】
【発明の効果】
以上のように本件の発明による，アース中継端子付住宅用分電盤では，請求項１の発明によれば，大地側のアース線と住宅用分電盤間の渡りアース線は，住宅用分電盤の外郭ケース内に固定されたアース中継端子板に接続し，分岐回路のアース線は，ねじ無し端子ユニットの個々のねじ無し端子に差し込むだけで接続でき，分岐ブレーカ回路側のアース線が多くなっても作業性が良い。また，ねじ無し端子ユニットは，アース中継端子板と電線で接続されているので，電線を屈曲させることで，住宅用分電盤内の任意の位置に移動させることができ，分岐ブレーカの配置と各分岐ブレーカに接続されるケーブルのアース線の長さに合わせて一番都合のよい位置に配置できて，電線の皮むきや接続の作業を大幅に改善できる。
【００２０】
また，他の例によれば，アース中継端子板に対して，複数のねじ無し端子ユニットを電線で接続すれば，分岐ブレーカの回路数が多くなっても，例えば分岐ブレーカ数台ごとのブロックに分けて，複数のねじ無し端子ユニットをそれぞれ一番適当な位置に配置できるので，さらに，アース線の接続作業性がよくなるという効果を有する。
【図面の簡単な説明】
【図１】  本件発明のアース中継端子付住宅用分電盤の第一の実施例の図
【図２】  本件発明のアース中継端子装置の実施例の図
【図３】  ねじ無し端子ユニットの断面の図
【図４】  本件発明の住宅用分電盤の工事例の図
【図５】  本件発明のアース中継端子付住宅用分電盤の第二の実施例の図
【符号の説明】
１    複数の分岐ブレーカ
２    導電部材
３    外郭ケース
４    主幹ブレーカ
５    取付板
６    アース中継端子装置
６０１アース中継端子板
６０２複数のねじ無し端子
６０３ねじ無し端子ユニット
６０４電線
８    大地側アース線
９    各分岐ブレーカ接続ケーブル
９０１各分岐ブレーカ回路アース線
９０２各分岐ブレーカ回路電圧電線
【図１】
0004523086.tif 000002
【図２】
0004523086.tif 000003
【図３】
0004523086.tif 000004
【図４】
0004523086.tif 000005
【図５】
0004523086.tif 000006